【事件の表示】
　商願２０１６−６８０２９拒絶査定不服審判事件について、次のとおり審決する。
【結　論】
　本件審判の請求は、成り立たない。
【理　由】
１　本願商標
　本願商標は、「豚プラセンタエキス末　１００ＴＳ」の文字を標準文字で表してなり、第１類「医薬品・化粧品又は食品の製造に用いられる豚の胎盤の抽出エキスを原材料とする化学品」を指定商品として、平成２８年６月２３日に登録出願されたものである。
　
２　原査定の拒絶の理由（要点）
　原査定は、「本願商標は、『豚プラセンタエキス末　１００ＴＳ』の文字を標準文字で表してなるところ、その構成中、『豚プラセンタエキス末』の文字は、『豚の胎盤から抽出したプラセンタエキス粉末』ほどの意味合いを容易に理解させ、『１００ＴＳ』の文字は、商品の品番・型番等を表示する記号・符号の一類型を表したものとみるのが自然であるから、全体として、商品の原材料を表す『豚プラセンタエキス末』の文字と、商品の品番・型番等を表す『１００ＴＳ』を結合したものと理解させるにとどまり、需要者が何人かの業務に係る商品であることを認識できない商標というべきである。したがって、本願商標は、商標法第３条第１項第６号に該当する。」旨認定、判断し、本願を拒絶したものである。
３　当審における証拠調べ通知
　当審において、本願商標が商標法第３条第１項第６号に該当するか否かについて職権で証拠調べをし、その結果を請求人に対して同法第５６条第１項で準用する特許法第１５０条第５項の規定に基づき、平成２９年５月３０日付け証拠調べ通知書によって通知し、期間を指定してこれに対する意見を求めた。
４　証拠調べの結果に対する請求人の意見（要点）
　本願商標は、その表示から請求人の出所であることが識別できるものであり、実際に自他商品等識別標識としての機能を発揮する商標であるから、数字と欧文字とを組み合わせたものが商品の品番、種類等を表す記号、符号として使用されている事実をもって、直ちに、商標法第３条第１項第６号に該当すると判断するのは失当である。
　本願商標は、請求人のウェブサイトにおいて、平成２１年１月頃から長年にわたり使用しているものであり、十分に自他商品識別標識としての機能を発揮するものとなっており、形式上はともかく、事実上は、商標法第３条第１項第６号に該当しないことが明らかである。
　したがって、本願商標は、商標法第３条第１項第６号に該当しない。
５　当審の判断
（１）本願商標について
　本願商標は、上記１のとおり、「豚プラセンタエキス末　１００ＴＳ」の文字を標準文字で表してなるものである。
　そして、「プラセンタエキス」の文字が「胎盤。また、その抽出物」の意味を有し、また、本願の指定商品に係る分野において、豚や馬のプラセンタエキスを粉末状にしたものが「プラセンタエキス末」又はこれと同意と認められる「プラセンタエキス粉末」、「プラセンタパウダー」、「プラセンタエキスパウダー」などの表示で取引されているから（原審で挙げられた証拠並びに以下に示すア、イ及びカ）、本願商標の構成中の「豚プラセンタエキス末」の文字は、本願の指定商品との関係において、該商品の原材料が「豚の胎盤の抽出物を粉末状にしたもの」であることを表示したものと理解されるというのが相当である。
　また、一般に、数字と欧文字とを組み合わせたものが商品の品番や規格、型番等を表示するために取引上類型的に採択、使用されているところ、本願の指定商品に係る分野においても、数字と欧文字とを組み合わせたものが商品の品番、種類等を表す記号、符号として使用されている事実（以下に示すア〜カ）、医薬品、化粧品又は食品を製造するための原料として用いられる化学品について、数字と欧文字とを組み合わせたものが商品の品番、種類等を表す記号、符号として使用されている事実（以下に示すキ〜ツ）及び化学品について、数字３字と欧文字２字とを組み合わせたものが商品の品番、種類等を表す記号、符号として使用されている事実（以下に示すテ〜ナ）があることを踏まえると、本願商標の構成中、「１００ＴＳ」の文字は、商品の品番、種類等を表す記号、符号を表示したものと理解されるというべきである。
　ア　「原料・受託バンク」と題するウェブサイトにおいて、「三共理化工業株式会社　取り扱い商品一覧」の見出しの下、「商品名」の項目に「馬プラセンタＦＤ１００」、「特徴・取引条件など」の項目に「国産サラブレッド胎盤のみを使用した純度１００％の粉末品（健康食品用）。」、同じく「馬プラセンタＡＬ−２０」、「ドリンク用の液体原料。国内の品質管理・衛生管理に優れた牧場で育成されたサラブレッドの胎盤のみを原料に使用しています。」、同じく「豚プラセンタＦＤ１００」、「１００％エキスのフリーズドライ品。安心安全のトレーサビリティに対応したＳＰＦ豚を使用。」、同じく「豚プラセンタＡＬ−２０」、「ドリンク用。安心安全のトレーサビリティに対応したＳＰＦ豚を使用。」の記載がある。
（http://www.genryoubank.com/company/70?f=2）
　また、「豚プラセンタＦＤ１００」の「詳細情報」の「規格書・分析試験成績書」を開くと、「健康食品用豚プラセンタエキス粉末『豚プラセンタＦＤ１００』」及び「『豚プラセンタＦＤ１００』は、日本国内にて収集した豚の胎盤から抽出したプラセンタエキスを粉末にした健康食品用の原料です。」の記載がある。
（http://portal.genryoubank.com/wp-content/uploads/2012/11/item_file-82.pdf）
　さらに、「豚プラセンタＡＬ−２０」の「詳細情報」の「規格書・分析試験成績書」を開くと、「ドリンク用豚プラセンタエキス『豚プラセンタエキスＡＬ−２０』」及び「日本国内にて収集した豚の胎盤から抽出した『豚プラセンタエキスＡＬ−２０』は、ドリンク用としての原料に最適です。」の記載がある。
（http://portal.genryoubank.com/wp-content/uploads/2012/11/item_file-92.pdf）
　イ　「原料・受託バンク」と題するウェブサイトにおいて、「株式会社カリテスジャパントレーディング　取り扱い商品一覧」の見出しの下、「商品名」の項目に「馬プラセンタＦＤパウダー」、「プラセンタＮ１５５」、「特徴・取引条件など」の項目に「プラセンタエキスを急速凍結し、減圧して真空状態で水分を昇華させて乾燥物にします。」の記載がある。
（http://www.genryoubank.com/company/640）
　ウ　「原料・受託バンク」と題するウェブサイトにおいて、「東洋酵素化学株式会社　取り扱い商品一覧」の見出しの下、「商品名」の項目に「ＳＰＦプラセンタＴ−１００」、「特徴・取引条件など」の項目に「厳格な管理のもとで飼育、分娩された胎盤を原料にすることにこだわっています。」の記載がある。
（http://www.genryoubank.com/company/294）
　エ　「原料・受託バンク」と題するウェブサイトにおいて、「株式会社日本バリアフリー　取り扱い商品一覧」の見出しの下、「商品名」の項目に「マリンプラセンタ（Ｒ）（製品略号：ＭＰ１００）」、「特徴・取引条件など」の項目に「天然国産鮭卵巣膜由来」の記載がある。
（http://www.genryoubank.com/company/125?f=2）
　オ　「原料・受託バンク」と題するウェブサイトにおいて、「蝶理株式会社　取り扱い商品一覧」の見出しの下、「商品名」の項目に「プラセンタ」、「特徴・取引条件など」の項目に「・Ｊプラセンタ１００ＷＳ：国産豚プラセンタ 、１００％品 ・Ｋプラセンタ１００ＷＳ：韓国ＨＡＣＣＰ認証農場から胎盤を調達」の記載がある。
（http://www.genryoubank.com/company/100?f=2）
　カ　「一丸ファルコス株式会社」のウェブサイトにおいて、「プラセンタパウダーＴ−１００」の見出しの下、「製品特長」の項目に「・タイのＨＡＣＣＰ認証農場・工場にて製造された食品用のプラセンタエキスです。・一丸独自の技術を利用し、高品質で安心・安全なプラセンタエキスパウダーです。・プラセンタパウダーＴ−１００は水に溶解します。」の記載がある。
（http://www.ichimaru.co.jp/products/PlacentaPowderT100.html）
　キ　「株式会社マツモト交商」のウェブサイトの「化粧品原材料検索」における、「製造会社」を「三菱化学」とする検索結果の「正式商品名称」の項目に「ユカフォーマー　１０４Ｄ」及び「ユカフォーマー　２０４ＷＬ」の記載がある。
（http://matsumoto-trd.com/materials.php?reftype=3manufacturer=%E4%B8%89%E8%8F%B1%E5%8C%96%E5%AD%A6）
　ク　「株式会社マツモト交商」のウェブサイトの「化粧品原材料検索」における、「製造会社」を「ロンザジャパン」とする検索結果の「正式商品名称」の項目に「ジオガード　１１１Ａ」及び「ジオガード　１１１Ｓ」の記載がある。
（http://matsumoto-trd.com/materials.php?reftype=3manufacturer=%E3%83%AD%E3%83%B3%E3%82%B6%E3%82%B8%E3%83%A3%E3%83%91%E3%83%B3）
　ケ　「株式会社マツモト交商」のウェブサイトの「化粧品原材料検索」における、「製造会社」を「花王」とする検索結果の「正式商品名称」の項目に「アンヒトール２０ＡＢ」、「アンヒトール２０ＢＳ」、「アンヒトール２０ＨＤ」、「アンヒトール２０Ｎ」、「アンヒトール２０ＹＢ」、「アンヒトール２４Ｂ」、「アンヒトール５５ＡＢ」及び「アンヒトール８６Ｂ」の記載がある。
（http://matsumoto-trd.com/materials.php?reftype=3manufacturer=%E8%8A%B1%E7%8E%8BpageID=1）
　同じく「エマール１０ＰＴ」、「エマール１２５ＨＰ」、「エマール１７０Ｊ」、「エマール２２７ＨＰ」、「エマール２０Ｃ」、「エマール２０ＣＭ」、「エマール２０Ｔ」、「エマール２７０Ｊ」、「エマノーン３１９９Ｖ」、「エマノーン３２９９ＲＶ」、「エマノーン３２９９Ｖ」及び「エマルゲン１０４Ｐ」の記載がある。
（http://matsumoto-trd.com/materials.php?reftype=3manufacturer=%E8%8A%B1%E7%8E%8BpageID=2）
　同じく「エマルゲン１２３Ｐ」、「エマルゲン２０２５Ｇ」、「エマルゲン２１０Ｐ」、「エマルゲン３０６Ｐ」及び「エマルゲン３２０Ｐ」の記載がある。
（http://matsumoto-trd.com/materials.php?reftype=3manufacturer=%E8%8A%B1%E7%8E%8BpageID=3）
　同じく「コータミン２４Ｐ」、「コータミン６０Ｗ」及び「コータミン８６Ｗ」の記載がある。
（http://matsumoto-trd.com/materials.php?reftype=3manufacturer=%E8%8A%B1%E7%8E%8BpageID=4）
　同じく「レオドール４３０Ｖ」、「レオドール４４０Ｖ」及び「レオドール４６０Ｖ」の記載がある。
（http://matsumoto-trd.com/materials.php?reftype=3manufacturer=%E8%8A%B1%E7%8E%8BpageID=5）
　コ　「株式会社マツモト交商」のウェブサイトの「化粧品原材料検索」における、「製造会社」を「エレメンティスジャパン」とする検索結果の「正式商品名称」の項目に「ＢＥＮＴＯＮＥ　２７Ｖ」及び「ＢＥＮＴＯＮＥ　３８Ｖ」の記載がある。
（http://matsumoto-trd.com/materials.php?reftype=3manufacturer=%E3%82%A8%E3%83%AC%E3%83%A1%E3%83%B3%E3%83%86%E3%82%A3%E3%82%B9%E3%82%B8%E3%83%A3%E3%83%91%E3%83%B3）
　サ　「株式会社マツモト交商」のウェブサイトの「化粧品原材料検索」における、「製造会社」を「ミヨシ油脂」とする検索結果の「正式商品名称」の項目に「アンホレックス　３０Ｓ」及び「アンホレックス　３５Ｎ」の記載がある。
（http://matsumoto-trd.com/materials.php?reftype=3manufacturer=%E3%83%9F%E3%83%A8%E3%82%B7%E6%B2%B9%E8%84%82）
　シ　「株式会社マツモト交商」のウェブサイトの「化粧品原材料検索」における、「製造会社」を「マツモトファインケミカル」とする検索結果の「正式商品名称」の項目に「マツネート　ＭＩ−１０２」及び「マツネート　ＭＩ−２２０」の記載がある。
（http://matsumoto-trd.com/materials.php?reftype=3manufacturer=%E3%83%9E%E3%83%84%E3%83%A2%E3%83%88%E3%83%95%E3%82%A1%E3%82%A4%E3%83%B3%E3%82%B1%E3%83%9F%E3%82%AB%E3%83%AB）
　ス　「株式会社マツモト交商」のウェブサイトの「化粧品原材料検索」における、「製造会社」を「ハネウェル」とする検索結果の「正式商品名称」の項目に「アセンサＤＳ９０１」、「アセンサＤＳ９１２」、「アセンサＳＣ２０１」、「アセンサＳＣ２０２」、「アセンサＳＣ２１０」、「アセンサＳＣ２２０」、「アセンサＳＣ２２１」、「アセンサＳＣ２２２」、「アセンサＳＣ２３１」、「アセンサＳＣ２３２」、「アセンサＳＣ２３３」及び「アセンサＳＣ４０１」の記載がある。
（http://matsumoto-trd.com/materials.php?reftype=3manufacturer=%E3%83%8F%E3%83%8D%E3%82%A6%E3%82%A7%E3%83%AB）
　セ　「株式会社マツモト交商」のウェブサイトの「化粧品原材料検索」における、「製造会社」を「青木油脂工業」とする検索結果の「正式商品名称」の項目に「ファインサーフ　ＦＯ１２０」、「ファインサーフ　ＦＯ１６０」、「ファインサーフ　ＦＯ８０」、「ファインサーフ　ＴＤ−１００」、「ファインサーフ　ＴＤ−１２０」、「ファインサーフ　ＴＤ−１５０」、「ファインサーフ　ＴＤ−２００」、「ファインサーフ　ＴＤ−３０」、「ファインサーフ　ＴＤ−５０」、「ファインサーフ　ＴＤ−７０」、「ファインサーフ　ＴＤ−８０」、「ファインサーフ　ＴＤ−９０」、「ブラウノン　ＢＲ−４０４」、「ブラウノン　ＢＲ−４１０」、「ブラウノン　ＢＲ−４２０」、「ブラウノン　ＢＲ−４２５」、「ブラウノン　ＢＲ−４３０」、「ブラウノン　ＢＲ−４５０」、「ブラウノン　ＣＨ−３０５」及び「ブラウノン　ＣＨ−３４０」の記載がある。
（http://matsumoto-trd.com/materials.php?reftype=3manufacturer=%E9%9D%92%E6%9C%A8%E6%B2%B9%E8%84%82%E5%B7%A5%E6%A5%AD）
　ソ　「ヤクルト薬品工業株式会社」のウェブサイトにおいて、「オリゴメイト〜ビフィズス菌増殖促進因子〜」の見出しの下、「規格・用途・安定性」の「１　オリゴメイトの規格」欄の「製品名」の項目に「オリゴメイト５５Ｎ」及び「オリゴメイト５５ＮＰ」の記載があり、「２　オリゴメイトの用途」欄に「健康指向の食品素材として、幅広くご利用いただけます。」の記載がある。
（http://www.yakult.co.jp/ypi/product/ori.html）
　タ　「ヤクルト薬品工業株式会社」のウェブサイトにおいて、「醸造用酵素」の見出しの下、「製品名」の項目に「ユニアーゼ２Ｋ」及び「ユニアーゼ６０Ｆ」の記載がある。
（http://www.yakult.co.jp/ypi/product/brewing.html）
　チ　「丸善製薬株式会社」のウェブサイトにおいて、「化粧品・医薬部外品原料一覧」の見出しの下、「商品名」の項目に「ワインＢＧ３０」、「アロエ抽出液ＢＧ１００」、「エイジツ抽出液ＢＧ−０１」、「オウレン抽出液ＢＧ３０」、「オレンジ抽出液ＰＧ１００」、「油溶性甘草エキスＰ−Ｔ（４０）」、「キイチゴ抽出液ＢＧ１００」、「ザクロ抽出液ＢＧ３０」、「ゴールデンシルク抽出液ＢＧ３０」、「スターフルーツ葉抽出液ＢＧ３０」、「ソウハクヒ抽出液ＢＧ１００」、「セキセツソウ抽出液ＢＧ７０」、「テンニンカ果実抽出液ＢＧ８０」、「テンニンカ果実抽出液ＢＧ８０（部外品用）」、「ニンジン抽出液ＬＡ−２０」、「ニンジン抽出液ＬＡＨ−３０」、「ハス胚芽抽出液ＢＧ−０５」、「ヒアルロン３０００ＣＳ」、「ステイ−Ｃ５０」、「ヒマラヤンラズベリー抽出液ＢＧ８０」、「マタタビ抽出液ＢＧ３０」、「シルバーバイン抽出液ＢＧ３０」、「マテ発酵液ＢＧ３０」、「ムクロジ抽出液ＢＧ８０Ｃ」、「山梨モモ葉抽出液ＢＧ３０」、「レイシ抽出液ＢＧ０２」及び「ローズヒップ抽出液ＢＧ１００」の記載がある。
（http://www.maruzenpcy.co.jp/product/list_ke.html）
　ツ　「オリザ油化株式会社」のウェブサイトに掲載されている「製品一覧表　受託生産案内」（改定日　２０１６年９月３０日　Ｒ−６３０ＨＳ）の「健康食品・化粧品配合素材　効用一覧表（米由来）」、「健康食品・化粧品配合素材　効用一覧表（１）」、「健康食品・化粧品配合素材　効用一覧表（２）」及び「《製品一覧表》」の見出しの下、「備考」の項目に「オリザギャバエキス−ＨＣ５」、「オリザギャバエキス−ＨＣ９０」、「オリザトコトリエノール−３０Ｇ，−Ｌ１０」、「オリザトコミックス−Ｐ１５ＣＤ，−Ｐ２７ＣＤ」、「オリザセラミド−ＰＴ，−Ｐ８Ｔ，−Ｐ２０ＣＤ，−ＷＳＰ８，−ＰＣ８，−ＰＣ２０，−ＷＳＰＣ８」、「オリザプロテイン−Ｐ７０，−ＰＣ７０」、「オリザペプチド−Ｐ６０，−ＰＣ６０」、「ルテイン−Ｐ８０Ａ，ルテイン−Ｐ４０Ａ，ルテイン−Ｌ８Ａ」、「α−リポ酸−Ｐ８０，−ＰＣ８０」、「α−リポ酸−ＷＳＰ８，−ＷＳＰＣ８」、「α−リポ酸−Ｌ１，−ＬＣ１」、「アスタキサンチン−５Ｃ，−２０Ｃ，−Ｐ１，−ＰＣ１，ＬＳ１，ＬＳＣ１」、「クルミポリフェノール−Ｐ１０，−ＰＣ１０，−Ｐ３０，−ＰＣ３０，−ＷＳＰ１０，−ＷＳＰＣ１０」、「カンカエキス−Ｐ２５，−ＰＣ２５」、「レスベラトロール−Ｐ５，−ＰＣ５」、「フコキサンチン−５Ｃ，−１Ｃ，−Ｐ１，−ＰＣ１」、「マキベリーエキス−Ｐ３５，−ＰＣ３５」、「オリザドリムＶ−５０」、「脱脂コメヌカ−ＥＣ３０，−ＥＣ８０」、「オクタコサノール−Ｐ１，−Ｐ８，−Ｐ１０，−Ｐ１２，−Ｐ４５，−Ｐ５０，−Ｐ６０」、「オリザセラミド−ＰＣ８，−ＷＳＰＣ８」、「ブロッコリースプラウトエキス−ＰＳ１」、「ブロッコリースプラウトエキス−ＰＳＣ１」、「ルテイン−ＰＣ８０，−ＰＣ４０，−ルテイルＬＣ８」、「フコキサンチン−５ＫＷ，−１ＫＷ，Ｐ１ＫＷ」及び「フコキサンチン−５ＣＫＷ，−１ＣＫＷ，ＰＣ１ＫＷ」の記載がある。
（http://www.oryza.co.jp/pdf/japanese/製品一覧_結合R-630HS.pdf）
　テ　「共栄化学株式会社」のウェブサイトにおいて、「機能性モノマー・オリゴマー」の「ライトエステル」の見出しの下、「商品名」の項目に「ライトエステル１３０ＭＡ」、「ライトエステル０４１ＭＡ」及び「ライトエステルＤＱ−１００」の記載がある。
（http://www.kyoeisha.co.jp/product/kinou/lightester.php）
　また、「エポライト」の見出しの下、「商品名」の項目に「エポライト１００ＭＦ」の記載がある。
（http://www.kyoeisha.co.jp/product/kinou/epolight.php）
　さらに、「エポキシエステル」の見出しの下、「エポキシエステル２００ＰＡ」の記載がある。
（http://www.kyoeisha.co.jp/product/kinou/epoxyester.php）
　ト　「ＢＡＳＦジャパン株式会社」のウェブサイトに掲載されている「主要製品リスト」の「建設化学品」の見出しの下、「マスターグレニウム８００ＳＲ」、「マスターロックＭＳ６１０」、「マスターロックＳＡ１６１」、「マスターロックＳＡ４６６」、「マスターロックＧＰ３００」の記載がある。また、「エレクトロニック　マテリアルズ」の見出しの下、「パリオカラーＬＣ２４２」及び「パリオカラーＬＣ７５６」の記載がある。さらに、「フォーミュレーション　テクノロジーズ、ホーム＆パーソナルケア」の見出しの下、「エレスタブＨＰ１００」及び「イルガサンＤＰ３００」の記載がある。
（https://www.basf.com/documents/jp/ja/products-and-industories/product-list/MainProducts_ALL_201703.pdf）
　ナ　「花王株式会社」のウェブサイトに掲載されている「花王の塗料用薬剤」（２０１５／６　２００Ｔ．Ｃａ．０４６−００１（Ｒ１５））の「水系塗料用薬剤　（１）乳化重合用乳化剤、（２）湿潤・浸透剤」の見出しの下、「製品名」の項目に「ラムテル　ＰＤ−１０４」、「ラムテル　ＰＤ−４２０」、「ラムテル　ＰＤ−４３０」及び「ラムテル　ＰＤ−４５０」の記載がある。
（http://chemical.kao.com/jp/pdf/catalog/Paint_1509.pdf）
（２）商標法第３条第１項第６号該当性について
　上記（１）によれば、本願商標をその指定商品に使用しても、これに接する需要者は、本願商標を、商品の原材料が豚の胎盤の抽出物を粉末状にしたものであることを表す「豚プラセンタエキス末」の文字と、商品の品番、種類等を表す記号、符号とを結合したものと認識するにとどまり、何人かの業務に係る商品であることを認識することができないといわざるを得ない。
　したがって、本願商標は、需要者が何人かの業務に係る商品であることを認識することができない商標であるから，商標法第３条第１項第６号に該当する。
（３）請求人の主張について
　請求人は、本願商標は、請求人のウェブサイトにおいて、平成２１年１月頃から長年にわたり使用しているものであり、十分に自他識別標識としての機能を発揮するものとなっており、形式上はともかく、事実上は、商標法第３条第１項第６号に該当しないことが明らかである旨主張する。
　しかしながら、請求人が本願商標をその指定商品について使用した結果、自他商品識別標識としての機能を獲得したと認めるに足る証拠はなく、本願商標については、上記（２）のとおり判断するのが相当であるから、請求人の主張を採用することはできない。
（４）まとめ
　以上のとおり、本願商標は、商標法第３条第１項第６号に該当し、登録することができない。
　よって、結論のとおり審決する。